(57)【要約】    【課題】  印刷条件の変更によりコピーやプリントの料金を容易に低減することができる画像形成装置及びその方法、並びにプログラム及び記憶媒体を提供する。    【解決手段】  複写機１は、携帯端末２から印刷ジョブを受付けると、インターネット４を介してサーバ３から印刷データ及び印刷条件を受信してＲＡＭ１０５又はＨＤ１０６に記憶し、複写機１のキー入力部１０２により希望料金モードが指定されたときは、希望金額を入力をユーザに要求するメッセージを複写機１の表示部１０３に表示し、入力された希望金のを受付けてＲＡＭ１０５へ記憶し、記憶した印刷データ及び印刷条件に基づいて料金を算出し、算出した料金が希望金額以内でないときは、より安価な代替印刷条件を提案し、ユーザが提案した代替印刷条件に了承したときは、印刷条件を提案した代替印刷条件に変更し、変更された印刷条件に従い印刷ジョブを実行する。【選択図】      図５
2005254571.tif 000002
【特許請求の範囲】
【請求項１】
印刷データ及び印刷条件を入力する入力手段と、前記印刷データ及び前記印刷条件に基づいて料金を算出する算出手段とを備える画像形成装置において、前記印刷データ、及び前記印刷条件と異なる代替印刷条件に基づいて他の料金を試算する試算手段と、前記印刷条件を前記代替印刷条件に変更するか否かを選択する選択手段と、前記選択結果に基づいて前記印刷条件を前記代替印刷条件に変更する変更手段とを備えることを特徴とする画像形成装置。
【請求項２】
希望金額を入力する希望金額入力手段と、前記料金が前記希望金額以下であるか否かを判別する判別手段とを備え、前記試算手段は、前記料金が前記希望金額以下でないときに、前記印刷データ及び前記代替印刷条件に基づいて前記他の料金を試算することを特徴とする請求項１記載の画像形成装置。
【請求項３】
前記希望金額、並びに前記料金及び前記他の料金の少なくとも１つを表示する表示手段を備えることを特徴とする請求項２記載の画像形成装置。
【請求項４】
前記印刷条件は、倍率、用紙サイズ、用紙１面当たりのページ数、片面か両面か、普通紙か裏面広告紙か、及びカラーか白黒かの少なくとも１つを含むことを特徴とする請求項１乃至３のいずれか１項に記載の画像形成装置。
【請求項５】
前記印刷条件及び前記印刷データは１つのファイルに含まれることを特徴とする請求項１乃至４のいずれか１項に記載の画像形成装置。
【請求項６】
印刷データ及び印刷条件を入力する入力ステップと、前記印刷データ及び前記印刷条件に基づいて料金を算出する算出ステップとを備える画像形成方法において、前記印刷データ、及び前記印刷条件と異なる代替印刷条件に基づいて他の料金を試算する試算ステップと、前記印刷条件を前記代替印刷条件に変更するか否かを選択する選択ステップと、前記選択結果に基づいて前記印刷条件を前記代替印刷条件に変更する変更ステップとを備えることを特徴とする画像形成方法。
【請求項７】
希望金額を入力する希望金額入力ステップと、前記料金が前記希望金額以下であるか否かを判別する判別ステップとを備え、前記試算ステップは、前記料金が前記希望金額以下でないときに、前記印刷データ及び前記代替印刷条件に基づいて前記他の料金を試算することを特徴とする請求項６記載の画像形成方法。
【請求項８】
前記希望金額、並びに前記料金及び前記他の料金の少なくとも１つを表示する表示ステップを備えることを特徴とする請求項７記載の画像形成方法。
【請求項９】
前記印刷条件は、倍率、用紙サイズ、用紙１面当たりのページ数、片面か両面か、普通紙か裏面広告紙か、及びカラーか白黒かの少なくとも１つを含むことを特徴とする請求項６乃至８のいずれか１項に記載の画像形成方法。
【請求項１０】
前記印刷条件及び前記印刷データは１つのファイルに含まれることを特徴とする請求項６乃至９のいずれか１項に記載の画像形成方法。
【請求項１１】
印刷データ及び印刷条件を入力する入力モジュールと、前記印刷データ及び前記印刷条件に基づいて料金を算出する算出モジュールとをコンピュータに実行させる画像形成プログラムにおいて、前記印刷データ、及び前記印刷条件と異なる代替印刷条件に基づいて他の料金を試算する試算モジュールと、前記印刷条件を前記代替印刷条件に変更するか否かを選択する選択モジュールと、前記選択結果に基づいて前記印刷条件を前記代替印刷条件に変更する変更モジュールとをコンピュータに実行させることを特徴とする画像形成プログラム。
【請求項１２】
請求項１１記載のプログラムを格納することを特徴とするコンピュータ読取り可能な記憶媒体。
【発明の詳細な説明】
【技術分野】
【０００１】
本発明は、画像形成装置及びその方法、並びにプログラム及び記憶媒体に関し、特に、コピーやプリントに対して１枚当たりの料金を設定して課金を行う複写機やプリンタ等の画像形成装置及びその方法、並びにプログラム及び記憶媒体に関する。
【背景技術】
【０００２】
従来の複写機又はプリンタ等の画像形成装置は、コピーやプリントに対して１枚当たりの料金を設定して課金を行う（例えば、特許文献１参照）。この１枚当たりの料金は、例えば、Ａ４サイズが１枚１０円、Ａ３サイズも１枚１０円等のように設定されており、ユーザが用紙サイズや倍率等の印刷条件の変更を行うことにより料金を低減することができる。例えば、Ａ４サイズの原稿１６ページを１部コピーする場合には、１枚当たり１０円で１６枚なので料金は１６０円となるが、Ａ３サイズにはＡ４サイズが２ページ分入るので、Ａ３サイズの用紙８枚に納めることができ、料金は８０円となる。さらに、画像のサイズを７０％縮小すればＡ３サイズにはＡ４サイズが４ページ分入るので、Ａ３サイズの用紙４枚に納めることができ、料金は４０円となる。
【特許文献１】特開平０７−１０４６２２号公報
【発明の開示】
【発明が解決しようとする課題】
【０００３】
しかしながら、上記画像形成装置において、ユーザが、コピーやプリントの印刷条件や料金体系を熟知していない場合は、上記印刷条件の変更を行うことを考えつかないため、提示されたままの料金でコピーやプリントを行う可能性が高い。
【０００４】
また、ユーザが、コピーやプリントの印刷条件や料金体系を熟知している場合でも、上記印刷条件の変更には手間がかかる。
【０００５】
本発明の目的は、印刷条件の変更によりコピーやプリントのトータルの料金を容易に低減することができる画像形成装置及びその方法、並びにプログラム及び記憶媒体を提供することにある。
【課題を解決するための手段】
【０００６】
上述の目的を達成するために、請求項１記載の画像形成装置は、印刷データ及び印刷条件を入力する入力手段と、前記印刷データ及び前記印刷条件に基づいて料金を算出する算出手段とを備える画像形成装置において、前記印刷データ、及び前記印刷条件と異なる代替印刷条件に基づいて他の料金を試算する試算手段と、前記印刷条件を前記代替印刷条件に変更するか否かを選択する選択手段と、前記選択結果に基づいて前記印刷条件を前記代替印刷条件に変更する変更手段とを備えることを特徴とする。
【０００７】
請求項２記載の画像形成装置は、請求項１記載の画像形成装置において、希望金額を入力する希望金額入力手段と、前記料金が前記希望金額以下であるか否かを判別する判別手段とを備え、前記試算手段は、前記料金が前記希望金額以下でないときに、前記印刷データ及び前記代替印刷条件に基づいて前記他の料金を試算することを特徴とする。
【発明の効果】
【０００８】
請求項１記載の画像形成装置、請求項６記載の方法、請求項１１記載のプログラム、及び請求項１２記載の記憶媒体によれば、印刷データ、及び印刷条件と異なる代替印刷条件に基づいて他の料金を試算し、印刷条件を代替印刷条件に変更するか否かを選択し、選択結果に基づいて印刷条件を代替印刷条件に変更するので、印刷条件の変更によりコピーやプリントの料金を容易に低減することができる。
【発明を実施するための最良の形態】
【０００９】
以下、本発明の実施の形態を図面を参照しながら詳述する。
【００１０】
図１は、本発明の実施の形態に係る画像形成装置を備える画像形成システムを概略的に示す図である。
【００１１】
図１において、画像形成システムは、本発明の実施の形態に係る画像形成装置としての後述する図２の複写機１と、携帯端末２と、サーバ３とを備え、これらはインターネット４を介して互いに接続されている。また、携帯端末２は、無線通信を介して複写機１と接続することができる。
【００１２】
サーバ３は、電子メールの送受信を制御し、携帯端末２は、サーバ３からインターネット４を介して電子メールを受信する。サーバ３からインターネット４を介して携帯端末２が受信した電子メールには、サーバ３上の添付ファイルが格納されている場所のインターネットアドレスが記述されている。携帯端末２は、無線通信を介して、このインターネットアドレスを複写機１に送信し、複写機１は、このインターネットアドレスを受信することにより印刷ジョブを受付け、インターネット４を介してサーバ３から添付ファイルをダウンロードすることにより印刷データ及び印刷条件を取得して、添付ファイルを印刷することができる。印刷データ及び印刷条件は、サーバ３からダウンロードした添付ファイルである。
【００１３】
図２は、図１における複写機１の内部構成を概略的に示すブロック図である。
【００１４】
図２において、複写機１は、装置全体を制御する制御部１０１を備える。複写機１は、また、ユーザが指示を入力するためのキー入力部１０２と、表示装置としての表示部１０３と、記憶媒体としてのＲＯＭ１０４、ＲＡＭ１０５、及びＨＤ１０６と、印刷ジョブを実行する印刷機構部１０７と、インターネット４に接続され、外部と通信するための外部ＩＦ１０８と、携帯端末２と無線通信を行うための無線通信部１０９とを備え、これらは夫々制御部１０１に接続されている。なお、キー入力部１０２の一部と表示部１０３の一部とはタッチパネルディスプレイとして構成されている。
【００１５】
複写機１は、図３に示すように、コピーやプリントに対して１枚当たりの料金を設定して課金を行う。
【００１６】
図３において、コピーやプリントの料金は、用紙サイズ、カラー印刷／白黒印刷、普通紙／裏面広告紙（用紙の裏面に広告が印刷される）によって設定されている。例えば、Ａ４サイズの普通紙へのカラー印刷は１枚当たり５０円、Ａ３サイズの裏面広告紙への白黒印刷は１枚当たり９円となる。
【００１７】
また、複写機１は、図４に示すように、用紙１面当たりのページ数や、用紙サイズを変更してコピー又はプリントを行うことができる。
【００１８】
図４において、Ａ４サイズの原稿１６ページをプリントする場合は、例えば、１面当たりのページ数が１ページで、Ａ４サイズの用紙に印刷すると、倍率は１００％、用紙は１６枚となる。１面当たりのページ数が４ページで、Ａ３サイズの用紙に印刷すると、倍率は７０％、用紙は４枚となる。普通紙への白黒印刷の場合、前者の料金は１６０円、後者の料金は４０円となる。
【００１９】
ユーザが複写機１のキー入力部１０２により希望金額モードを指定し、希望金額を入力すると、複写機１の制御部１０１は、料金が希望金額以内になるように印刷条件を変更する。
【００２０】
図５は、図２の複写機１の制御部１０１によって実行される印刷処理のフローチャートである。
【００２１】
図５において、複写機１は、携帯端末２から印刷ジョブを受付けると（ステップＳ１０２でＹＥＳ）、インターネット４を介してサーバ３から印刷データ及び印刷条件を受信してＲＡＭ１０５又はＨＤ１０６に記憶する（ステップＳ１０３）（入力手段）。
【００２２】
例えば、ユーザが所有する携帯端末２が、サーバ３上の添付ファイルが格納されている場所のインターネットアドレスが記述されたメールを受信すると、ユーザは、この添付ファイルをプリントするためにコンビニエンスストア等に設置された複写機１に接近し、携帯端末２から無線通信によりメールに記述されたインターネットアドレスを複写機１に送信する。複写機１は、無線通信部１０９を介してこのインターネットアドレスを受信する（ステップＳ１０２）。次いで、複写機１は、受信したインターネットアドレスにより、添付ファイルのダウンロードをサーバ１０３へ要求し、添付ファイルをダウンロードし、ＨＤ１０６へ記憶する（ステップＳ１０３）。
【００２３】
続くステップＳ１０４では、複写機１のキー入力部１０２により希望料金モードが指定されたか否かを判別し、希望料金モードが指定されたときは、希望金額（例えば、５０円）の入力をユーザに要求するメッセージを複写機１の表示部１０３に表示し、入力された希望金額を受付けてＲＡＭ１０５へ記憶する（ステップＳ１０５）（希望金額入力手段）。後述する図６の印刷条件変更処理を実行することにより、記憶した希望金額、印刷データ及び印刷条件に基づいて、料金が希望金額以内になるように印刷条件を変更する（ステップＳ１０６）。変更された印刷条件に従い印刷ジョブを実行し（ステップＳ１０７）、本処理を終了する。
【００２４】
ステップＳ１０４の判別の結果、希望料金モードが指定されなかったときは、ステップＳ１０５〜Ｓ１０６の処理を実行することなく、印刷ジョブを実行し（ステップＳ１０７）、本処理を終了する。
【００２５】
図５の処理によれば、希望料金モードが指定されたときは（ステップＳ１０４でＹＥＳ）、記憶した希望金額、印刷データ及び印刷条件に基づいて、料金が希望金額以内になるように印刷条件を変更する（ステップＳ１０６）ので、印刷条件の変更によりコピーやプリントの料金を容易に低減することができる。
【００２６】
図６は、図５のステップＳ１０６の印刷条件変更処理のフローチャートである。
【００２７】
図６において、複写機１の制御部１０１は、記憶した印刷データ及び印刷条件に基づいて料金を算出し（算出手段）、算出した料金が希望金額以内であるか否かを判別し（ステップＳ２０２）（判別手段）、算出した料金が希望金額以内であるときは、直ちに本処理を終了する。
【００２８】
ステップＳ２０２の判別の結果、算出した料金が希望金額以内でないときは、原稿がＡ４サイズであるか否かを判別し（ステップＳ２０３）、原稿がＡ４サイズであるときは、表示部１０３に図７の画面を表示することによりユーザにＡ３サイズの用紙１面に原稿２ページをプリントすることを提案し（試算手段、表示手段）、ユーザがキー入力部１０２により「はい」キー（図７）を入力、即ち、Ａ３サイズの用紙１面に原稿２ページをプリントすることに了承したか否かを判別し（ステップＳ２０４）（選択手段）、ユーザがＡ３サイズの用紙１面に原稿２ページをプリントすることに了承したと判断したときは、プリントサイズをＡ４サイズからＡ３サイズに、１面当たりのページ数を１ページから２ページに変更し（ステップＳ２０５）（変更手段）、変更された印刷条件での料金を算出する。算出した料金が希望金額以内であるか否かを判別し（ステップＳ２０６）、算出した料金が希望金額以内であるときは、本処理を終了する。
【００２９】
ステップＳ２０３の判別の結果、原稿がＡ４サイズでないか、又はステップＳ２０４の判別の結果、ユーザがＡ３サイズの用紙１面に原稿２ページをプリントすることに了承しなかった（「いいえ」キー（図７）が押された）ときは、ステップＳ２０５〜Ｓ２０６の処理を実行することなく、ステップＳ２０８へ進む。
【００３０】
図７において、画面には、最初の印刷条件とステップＳ２０４で提案された印刷条件とにおける料金が表示されている。Ａ４サイズの原稿１６ページをＡ４サイズの普通紙にカラー印刷する場合、１枚当たり５０円で使用する用紙枚数が１６枚なので料金は８００円であり、用紙サイズをＡ３サイズに、１面当たりのページ数を２ページに変更すると、１枚当たり８０円で使用する用紙枚数が８枚なので料金は６４０円になる。
【００３１】
この画面により、ユーザは、希望金額、最初の印刷条件における料金、及び提案された印刷条件における料金を容易に比較することができる。
【００３２】
ステップＳ２０６の判別の結果、算出した料金が希望金額以内でないときは、表示部１０３に図８の画面を表示することによりユーザに裏面広告紙を使用することを提案し、ユーザがキー入力部１０２により「はい」キー（図８）を入力、即ち裏面広告紙を使用することに了承したか否かを判別し（ステップＳ２０８）、ユーザが裏面広告紙を使用することに了承したと判断したときは、使用する用紙を普通紙から裏面広告紙に変更し（ステップＳ２０９）、変更された印刷条件での料金を算出する。算出した料金が希望金額以内であるか否かを判別し（ステップＳ２１０）、算出した料金が希望金額以内であるときは、本処理を終了する。
【００３３】
ステップＳ２０８の判別の結果、ユーザが裏面広告紙を使用することに了承しなかった（「いいえ」キー（図８）が入力された）ときは、ステップＳ２０９〜Ｓ２１０の処理を実行することなく、ステップＳ２１１へ進む。
【００３４】
図８において、画面には、最初の印刷条件とステップＳ２０８で提案された印刷条件とにおける料金が表示されている。使用する用紙を裏面広告紙に変更すると、１枚当たり７８円で使用する用紙枚数が８枚なので料金は６２４円になる。
【００３５】
ステップＳ２１０の判別の結果、算出した料金が希望金額以内でないときは、原稿がカラーであるか否かを判別し（ステップＳ２１１）、原稿がカラーであるときは、表示部１０３に図９の画面を表示することによりユーザに白黒印刷を提案し、ユーザがキー入力部１０２により「はい」キー（図９）を入力、即ち白黒印刷に了承したか否かを判別し（ステップＳ２１２）、ユーザが白黒印刷に了承したと判断したときは、カラーモードをカラー印刷から白黒印刷に変更し（ステップＳ２１３）、変更された印刷条件での料金を算出する。算出した料金が希望金額以内であるか否かを判別し（ステップＳ２１４）、算出した料金が希望金額以内であるときは、本処理を終了する。
【００３６】
ステップＳ２１１の判別の結果、原稿がカラーでないか、又はステップＳ２１２の判別の結果、ユーザが白黒印刷に了承しなかった（「いいえ」キー（図９）が入力された）ときは、ステップＳ２１３〜Ｓ２１４の処理を実行することなく、ステップＳ２１５へ進む。
【００３７】
図９において、画面には、最初の印刷条件とステップＳ２１２で提案された印刷条件とにおける料金が表示されている。白黒印刷に変更すると、１枚当たり９円で使用する用紙枚数が８枚なので料金は７２円になる。
【００３８】
ステップＳ２１４の判別の結果、算出した料金が希望金額以内でないときは、１面当たりのページ数が２ページ以上であるか否かを判別し（ステップＳ２１５）、１面当たりのページ数が２ページ以上でないときは、図７〜図９と同様に表示部１０３に１面当たりのページ数を２ページにすることを提案する画面（不図示）を表示し、ユーザがキー入力部１０２により「はい」キーを入力、即ち１面当たりのページ数を２ページにすることに了承したか否かを判別し（ステップＳ２１６）、ユーザが１面当たりのページ数を２ページにすることに了承したと判断したときは、１面当たりのページ数を２ページに変更し（ステップＳ２１７）、変更された印刷条件での料金を算出する。算出した料金が希望金額以内であるか否かを判別し（ステップＳ２１８）、算出した料金が希望金額以内であるときは、本処理を終了する。
【００３９】
ステップＳ２１５の判別の結果、１面当たりのページ数が２ページ以上であるか、又はステップＳ２１６の判別の結果、ユーザが１面当たりのページ数を２ページにすることに了承しなかった（「いいえ」キーが入力された）ときは、ステップＳ２１７〜Ｓ２１８の処理を実行することなく、ステップＳ２１９へ進む。
【００４０】
なお、図６の例においては、既に１面当たりのページ数が２ページとなっているので、ステップＳ２１７〜Ｓ２１８の処理を実行することなく、ステップＳ２１９へ進む。
【００４１】
ステップＳ２１８の判別の結果、算出した料金が希望金額以内でないときは、１面当たりのページ数が４ページ以上であるか否かを判別し（ステップＳ２１９）、１面当たりのページ数が４ページ以上でないときは、表示部１０３に図１０の画面を表示することによりユーザに１面当たりのページ数を４ページにすることを提案し、ユーザがキー入力部１０２により「はい」キー（図１０）を入力、即ち１面当たりのページ数を４ページにすることに了承したか否かを判別し（ステップＳ２２０）、ユーザが１面当たりのページ数を４ページにすることに了承したと判断したときは、１面当たりのページ数を４ページに変更し（ステップＳ２２１）、変更された印刷条件での料金を算出する。算出した料金が希望金額以内であるか否かを判別し（ステップＳ２２２）、算出した料金が希望金額以内であるときは、表示部１０３に図１１の画面を表示して、本処理を終了する。
【００４２】
図１０において、画面には、最初の印刷条件とステップＳ２１９で提案された印刷条件とにおける料金が表示されている。１面当たりのページ数を４ページに変更すると、１枚当たり９円で使用する用紙枚数が４枚なので料金は希望金額以内の３６円になる。また、印刷条件変更後の印刷の倍率が７０％であることが表示されているので、極端に縮小されていないかを確認することができる。ここで、ユーザがキー入力部１０２により「はい」キーを入力すると、算出した料金が希望金額以内になるので、表示部１０３に図１１の画面を表示して、本処理を終了する。
【００４３】
複写機１の制御部１０１は印刷条件変更後の設定に基づいて料金が３６円であると算出し、希望料金に入っていると判断する（ステップＳ２２２でＹＥＳ）。図６の処理に戻り、図１１の画面においてユーザがキー入力部１０２より「印刷」キーを入力すると、複写機１は印刷を行う（ステップＳ１０７）。
【００４４】
ステップＳ２１９の判別の結果、１面当たりのページ数が４ページ以上であるか、又はステップＳ２２０の判別の結果、ユーザが１面当たりのページ数を４ページにすることに了承しなかった（「いいえ」キー（図９）が入力された）ときは、ステップＳ２２１〜Ｓ２２２の処理を実行することなく、ステップＳ２２３へ進む。
【００４５】
ステップＳ２２２の判別の結果、算出した料金が希望金額以内でないときは、１面当たりのページ数が８ページ以上であるか否かを判別し（ステップＳ２２３）、１面当たりのページ数が８ページ以上でないときは、図７〜図１０と同様に、表示部１０３に１面当たりのページ数を８ページにすることを提案する画面（不図示）を表示し、ユーザがキー入力部１０２により「はい」キーを入力、即ち１面当たりのページ数を８ページにすることに了承したか否かを判別し（ステップＳ２２４）、ユーザが１面当たりのページ数を８ページにすることに了承したと判断したときは、１面当たりのページ数を８ページに変更し（ステップＳ２２５）、変更された印刷条件での料金を算出する。算出した料金が希望金額以内であるか否かを判別し（ステップＳ２２６）、算出した料金が希望金額以内であるときは、本処理を終了する。
【００４６】
ステップＳ２２３の判別の結果、１面当たりのページ数が８ページ以上であるか、又はステップＳ２２４の判別の結果、ユーザが１面当たりのページ数を８ページにすることに了承しなかった（「いいえ」キーが入力された）ときは、ステップＳ２２５〜Ｓ２２６の処理を実行することなく、ステップＳ２２７へ進む。
【００４７】
ステップＳ２２６の判別の結果、算出した料金が希望金額以内でないときは、キー入力部１０２の入力により不図示の「はじめから」キーが入力されたか否かを判別し（Ｓ２２７）、「はじめから」キーが入力されたときは、ステップＳ２０３に戻り、「はじめから」キーが入力されなかったときは、本処理を終了する。
【００４８】
図７〜図１１に示す画面において、「プレビュー」キーが押された場合は、提案されている印刷条件における印刷結果を示す画像を表示部１０３に表示するよう制御部１０１が処理する。また、「元に戻す」キーが押された場合は、１つ前に提案された印刷条件の画面に戻る。
【００４９】
図６の処理によれば、算出した料金が希望金額以内でないときは（ステップＳ２０２，ステップＳ２０６，ステップＳ２１０，ステップＳ２１４，ステップＳ２１８，ステップＳ２２２でＮＯ）、より安価な代替印刷条件を提案し、ユーザが提案した代替印刷条件に了承したときは（ステップＳ２０４，ステップＳ２０８，ステップＳ２１２，ステップＳ２１６，ステップＳ２２０，ステップＳ２２４でＹＥＳ）、印刷条件を提案した代替印刷条件に変更する（ステップＳ２０５，ステップＳ２０９，ステップＳ２１３，ステップＳ２１７，ステップＳ２２１，ステップＳ２２５）ので、印刷条件の変更によりコピーやプリントの料金を容易に低減することができる。
【００５０】
図６の処理は、複写機１が実行するとしたが、携帯端末２にダウンロードしたＪＡＶＡ（登録商標）等のソフトで実行してもよく、サーバ３がＣＧＩ等によりＷＥＢ上で実行し、携帯端末２の表示装置に表示してもよい。
【００５１】
本実施の形態は、プリントについて説明したが、コピーにも応用することができる。
【００５２】
本実施の形態における印刷条件や１枚当たりの料金は一例であり、これに限るものではない。本実施例では、片面印刷として説明したが、両面印刷が可能であってもよい。
【００５３】
また、本発明の目的は、上記実施形態の機能を実現するソフトウェアのプログラムコードを記録した記憶媒体（又は記録媒体）を、システム又は装置に供給し、そのシステム又は装置のコンピュータ（又はＣＰＵやＭＰＵ）が記憶媒体に格納されたプログラムコードを読出して実行することによっても達成されることは言うまでもない。
【００５４】
この場合、記憶媒体から読出されたプログラムコード自体が前述した実施の形態の機能を実現することになり、そのプログラムコードを記憶した記憶媒体は本発明を構成することになる。
【００５５】
また、コンピュータが読出したプログラムコードを実行することにより、前述した実施の形態の機能が実現されるだけでなく、そのプログラムコードの指示に基づき、コンピュータ上で稼働しているオペレーティングシステム（ＯＳ）などが実際の処理の一部又は全部を行い、その処理によって前述した実施の形態の機能が実現される場合も含まれることは言うまでもない。
【００５６】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵ等が実際の処理の一部又は全部を行い、その処理によって前述した実施の形態の機能が実現される場合も含まれることは言うまでもない。
【００５７】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５８】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。又は、上記プログラムは、インターネット、商用ネットワーク、若しくはローカルエリアネットワーク等に接続される不図示の他のコンピュータやデータベース等からダウンロードすることにより供給される。
【図面の簡単な説明】
【００５９】
【図１】図１は、本発明の実施の形態に係る画像形成装置を備える画像形成システムを概略的に示す図である。
【図２】図１における複写機１の内部構成を概略的に示すブロック図である。
【図３】図２の複写機１が課金するコピーやプリントに対する１枚当たりの料金を示す図である。
【図４】図２の複写機１が印刷する際の用紙１面当たりのページ数及び用紙サイズを示す図である。
【図５】図２の複写機１によって実行される印刷処理のフローチャートである。
【図６】図５のステップＳ１０６の印刷条件変更処理のフローチャートである。
【図７】図６のステップＳ２０４で表示される画面を示す図である。
【図８】図６のステップＳ２０８で表示される画面を示す図である。
【図９】図６のステップＳ２１２で表示される画面を示す図である。
【図１０】図６のステップＳ２２０で表示される画面を示す図である。
【図１１】図６のステップＳ２２１で表示される画面を示す図である。
【符号の説明】
【００６０】
１  複写機
２  携帯端末
３  サーバ
４  インターネット
１０２  キー入力部
１０３  表示部
【図１】
2005254571.tif 000003
【図２】
2005254571.tif 000004
【図３】
2005254571.tif 000005
【図４】
2005254571.tif 000006
【図５】
2005254571.tif 000007
【図６】
2005254571.tif 000008
【図７】
2005254571.tif 000009
【図８】
2005254571.tif 000010
【図９】
2005254571.tif 000011
【図１０】
2005254571.tif 000012
【図１１】
2005254571.tif 000013